(57)【特許請求の範囲】
【請求項１】
回動操作軸と、
該回動操作軸を保持する保持穴を有し、前記回動操作軸により操作される機器のボディとの間に隙間を隔てて装着された操作軸ガイドと、
前記操作軸ガイドに設けた凹所または突起、前記隙間に配され前記回動操作軸に連動して回動するとともに軸方向に変位可能に装着されたノック板、該ノック板に設けられ前記回動操作軸の特定回動位置において前記凹所または突起に係合する突起または凹所、および前記ノック板を前記操作軸ガイドに押圧するスプリングからなり、前記隙間に設置され、前記操作軸の特定回動位置でノック信号を発生するノック機構とを備えた回動操作軸のノック機構であって、
前記ノック板は、前記回動操作軸に遊嵌された中心穴を備えており、前記ノック板の突起または凹所は、前記操作軸ガイドの凹所または突起と遊嵌する寸法に設定され、
前記ノック板または前記操作軸ガイドの突起はプレス成型された半球状を呈し、
前記ノック板または前記操作軸ガイドの凹所は打抜きにより成形した円形穴であることを特徴とする回動操作軸のノック機構。
【請求項２】
請求項１に記載の回動操作軸のノック機構において、
前記操作軸ガイドは、前記回動操作軸が挿通する挿通穴を有し、前記ボディに締結されたベース板を介して前記ボディに締結されており、
前記ノック板および前記スプリングは、前記操作軸ガイドと前記ベース板との隙間に設置されており、
前記ベース板には点火装置が組付けられるとともに、該点火装置の点火レバーの基部が前記回動操作軸に連動して回動するとともに軸方向に変位可能に装着され、かつ前記点火レバーの基部は前記スプリングで前記ベース板に押圧されていることを特徴とする回動操作軸のノック機構。
【発明の詳細な説明】
【０００１】
【発明の属する技術分野】
この発明は、ガスコックなどの機器を動作させるための回動する操作軸を操作する際に、特定回動位置でノック（節度）音またはノック感を生じさせるノック機構に関する。
【０００２】
【従来の技術】
ガスコックの操作機構は、ガスコックのボディ内に回動弁体等が組み込まれたコック本体と、回動弁体を動作させるため回動操作される操作軸をボディに組付ける操作機構とからなる。操作機構は、操作軸の挿通穴を有しボディに締結されるベース板と、該ベース板の前面に隙間を隔てて平行的に配され、操作軸を保持する保持穴が設けられた操作軸ガイドとを備える。
【０００３】
操作軸の前面には、スチールボールが組込まれ操作軸と連動して回動するノック板と、該ノック板およびスチールボールを操作軸ガイドに押圧させる板バネからなるノックバネとを備えたノック機構が組付けられ、最大火力位置、中火力位置など所定の回動位置がノック音やノック感で認識できるようになっている。
【０００４】
【発明が解決しようとする課題】
従来のノック機構は、部品としてスチールボールをノック板に形成した穴内に組付ける構造であるため、ノックバネを必要とし、部品数が多く組付が面倒でコスト高となっている。
この発明の目的は、部品数および組付工数が少なく、コストの低減が可能な回動操作軸のノック機構の提供にある。
【０００５】
【課題を解決するための手段】
（請求項１）
この発明は、回動操作軸と、該回動操作軸を保持する保持穴を有し、前記回動操作軸により操作される機器のボディとの間に隙間を隔てて装着された操作軸ガイドと、前記操作軸ガイドに設けた凹所または突起、前記隙間に配され前記回動操作軸に連動して回動するとともに軸方向に変位可能に装着されたノック板、該ノック板に設けられ前記回動操作軸の特定回動位置において前記凹所または突起に係合する突起または凹所、および前記ノック板を前記操作軸ガイドに押圧するスプリングからなり、前記隙間に設置され、前記操作軸の特定回動位置でノック信号を発生するノック機構とを備えた回動操作軸のノック機構であって、前記ノック板は、前記回動操作軸に遊嵌された中心穴を備えており、前記ノック板の突起または凹所は、前記操作軸ガイドの凹所または突起と遊嵌する寸法に設定され、前記ノック板または前記操作軸ガイドの突起はプレス成型された半球状を呈し、前記ノック板または前記操作軸ガイドの凹所は打抜きにより成形した円形穴であることを特徴とする。
（請求項２）
請求項１に記載の回動操作軸のノック機構において、前記操作軸ガイドは、前記回動操作軸が挿通する挿通穴を有し、前記ボディに締結されたベース板を介して前記ボディに締結されており、前記ノック板および前記スプリングは、前記操作軸ガイドと前記ベース板との隙間に設置されており、前記ベース板には点火装置が組付けられるとともに、該点火装置の点火レバーの基部が前記回動操作軸に連動して回動するとともに軸方向に変位可能に装着され、かつ前記点火レバーの基部は前記スプリングで前記ベース板に押圧されていることを特徴とする。
【０００６】
【発明の作用効果】
（請求項１）
ノック板または操作軸ガイドの一方に突起または凹所を形成し、他方に凹所または突起を形成してスチールボールの代わりとしている。このため、ノック機構が最低限の部品数で構成できるとともに組付が容易になる。
ノック板または操作軸ガイドの突起（半球状）はプレスにより半球状に膨出成型が可能である。また、ノック板または操作軸ガイドの凹所（円形穴）は打抜きにより円形状の穴に成形が可能である。つまり、突起や凹所は、プレス成形などで容易に形成できるため、ノック機構が低コストでかつ実用的に製造できる。また、多少の偏芯が生じても安定したノック感が得られる。
ノック板は、回動操作軸に遊嵌された中心穴を備えており、ノック板の突起または凹所は、前記操作軸ガイドの凹所または突起と遊嵌する寸法に設定されている。このため、突起が凹所に係合する際に、回動操作軸と中心穴とのがた分（遊嵌の遊び分）だけノック板が急速に回転方向に微動して突起が凹所の縁に衝突する。このため、ノック音が確実に得られる。
【０００７】
（請求項２）
点火レバーをベース板に押圧するスプリングをノック板を操作軸ガイドに押圧するスプリングで代用できるため、部品数がさらに低減できる。
【０００８】
【発明の実施の形態】
図１、図２は、この発明のノック機構１を備えたガスコックの操作機構１０を示し、図３に示す如く、コック本体２に組付られてガスこんろのガスコック組立部品（アッセンブリー）を構成する。操作機構１０は、回動および前後動する回動操作軸（以下操作軸という）３と、該操作軸３をコック本体２に組付けるための操作軸３の保持手段３０とからなる。
【０００９】
保持手段３０は、ネジ１１、１１（図３参照）で同時にコック本体２に締結されたベース板４および操作軸ガイド５を備え、ベース板４と操作軸ガイド５との間には、ノック機構１が設けられている。ノック機構１は、ノック板６およびスプリング６１を有する。
【００１０】
コック本体２は、前面開口を有し内部に回動弁体が組み込まれている中空のコックボディ２０を備えている。コックボディ２０には、ガスバーナへのガス流出管２１、パイロットバーナへの連絡管２２、ガス供給源であるマニホールド管を接続するためのガス管接続部２３が一体に成型されている。
【００１１】
操作軸３は、図４に示す如く、丸棒状の前端部３１、径大で丸棒状の中間部３２、鍔部３３、および後端で矩形断面を有する作用部３４からなり、鍔部３３の前面には鉤部３５が設けられている。前端部３１および中間部３２には、摘み１５、後記するノック板６および点火レバー７４を操作軸３と一体的に回動させるための平面３６および３７が設けられている。
【００１２】
ベース板４は、中心に操作軸３が挿通する挿通穴４１が空けられ、その両側に締結穴４２、４２が形成され、挿通穴４１の斜め下方には、消火位置で前記鉤部３５が係合し操作軸３の回動を係止する矩形穴４３が設けられている。締結穴４２、４２の外側には、矩形の切り欠きにより形成した被係止部４４、４４が設けられている。
【００１３】
操作軸ガイド５は、所定形状にプレス成型された帯状の鉄板を略冂型に折り曲げて形成され、操作軸３を保持する保持穴５１を有する保持部５２、該保持部５２の左右の両端から直角に折り曲げた脚部５３、５３を有する。脚部５３、５３の先端には、外側に直角に折り曲げて形成されベース板４の表面に当接する足板部５４、５４が設けられている。
【００１４】
保持部５２の保持穴５１の両側には、ガスこんろのハウジングの前板に裏面から操作軸ガイド５を締結するための締結穴５５、５５が形成されている。足板部５４、５４には、締結穴４２、４２に対応して締結穴５６、５６が空けられている。足板部５４、５４の外側端には、被係止部４４、４４に対応して直角に折り曲げられ、内側への膨出部が設けられた係止部５７、５７が形成されている。保持部５２には、保持穴５１を中心とする同心円上に凹所である３個のノック穴５８が空けられている。
【００１５】
ベース板４の上部には横長で略矩形の点火装置組付穴７０が設けられ、点火装置７が組付けられている。点火装置７は、点火装置組付穴７０に嵌め込まれた圧電素子７１、ハンマー７２、ハンマースプリング７３、および点火レバー７４からなる。点火レバー７４の基部７５には、操作軸３の中間部３２に外嵌めされる切り欠き円穴７６が形成され、スプリング６１によりベース板４の表面に押圧されている。
【００１６】
ベース板４および操作軸ガイド５は、被係止部４４、４４に係止部５７、５７を係合させてサブアッセンブリーを形成する。つづいて、ベース板４および操作軸ガイド５の間に、ノック板６、スプリング６１および点火レバー７４を介装させるとともに、操作軸３を、挿通穴４１、保持穴５１に挿通させる。その後に、ネジ１１、１１を締結穴５６、５６および締結穴４２、４２を通してコック本体２の前面に締結する。
【００１７】
ノック機構１は、円形のノック板６およびテーパー付きコイルバネであるスプリング６１とを備える。ノック板６は、操作軸３の中間部３２の遊嵌する寸法の切り欠き円状の中心穴６２、プレス成形により形成した半球状の突起６３を有する。ノック板６の中心穴６２は操作軸３の中間部３２の断面より幾分大きく形成してあり、ノック板６は操作軸３に所定のガタ付きで遊嵌されている。また突起６３の直径は、ノック穴５８の直径より幾分小さく形成してあり、突起６３とノック穴５８とは遊嵌するようになっている。
【００１８】
ガスこんろの不使用時には、図１に示す如く、操作軸３は前後動範囲の前端に位置し、矩形穴４３に鉤部３５が嵌まり込んでいる。ガスに点火するため、摘み１５を押すと、操作軸３は、前後動範囲の後端位置に変位し、矩形穴４３から鉤部３５が外れて操作軸３は回動可能となる。
【００１９】
摘み１５を回動操作すると、操作軸３が回動して点火レバー７４が回動され点火装置７が作動するとともに、回動弁体が回動して弁開度（ガスの火力）の調節がなされる。３個のノック穴５８は、たとえば消火位置、中火力位置、および最大火力位置に空けられている。
【００２０】
ノック板６が操作軸３の回動に連動して、突起６３が、操作軸ガイド５の保持部５２の裏面に摺動している図５の（イ）に示す状態から、突起６３がノック穴５８に係合する図５の（ロ）に示す状態になると、ノック板６が保持部５２の裏面に衝突してノック音が発生する。この際に、ノック板６と操作軸３とのガタ分だけ、ノック板６がスプリング６１の付勢力で回転方向に急速微動し、突起６３がノック穴５８の縁に衝突し、大きなノック音が生じる。
【００２１】
上記実施例では、ノック板６に突起６３を設け、操作軸ガイド５にノック穴５８を形成しているが、ノック板６にノック穴を設け、操作軸ガイド５に突起を形成してもよい。なお、凹所はノック穴５８以外の凹みであってもよい。
【図面の簡単な説明】
【図１】ノック機構を備えたガスコックの操作機構の組付図である。
【図２】ノック機構を備えたガスコックの操作機構の正面図および側面図である。
【図３】操作軸の斜視図である。
【図４】ガスコックアッセンブリーの斜視図である。
【図５】ノック機構の要部拡大図である。
【符号の説明】
１    ノック機構
２    コック本体
３    操作軸
４    ベース板
５    操作軸ガイド
６    ノック板
１０  ガスコックの操作機構
３０  操作軸の保持手段
５８  ノック穴
６１  スプリング
６３  突起
【図１】
0003644674.tif 000002
【図２】
0003644674.tif 000003
【図３】
0003644674.tif 000004
【図４】
0003644674.tif 000005
【図５】
0003644674.tif 000006